(57)【要約】  少なくとも一方が透明な対向する２枚の基板の間に１種類以上の表示媒体を封入し、基板内に発生させた電界により表示媒体を移動させて画像などの情報を表示する情報表示用パネルを具備する情報表示装置では、上下基板間を導通させるために基板の周辺部に塗布する導電性ペーストの流出による電極間短絡を防止するために、導電性ペーストの正規塗布位置からの流出を防止し得る断面形状（Ｌ型、Ｕ型、長方形型、円型、多角形型、半円型、Ｉ型、階段型の何れか１つ、図示例はＬ型）のダミー隔壁１１を基板上の所定位置に設けた。基板上にダミー隔壁を設けることにより導電性ペーストの正規塗布位置からの流出に起因する電極間短絡を防止するようにした情報表示装置を提供する。【特許請求の範囲】
【請求項１】
少なくとも一方が透明な対向する２枚の基板の間に１種類以上の表示媒体を封入し、基板内に発生させた電界により表示媒体を移動させて画像などの情報を表示する情報表示用パネルを具備する情報表示装置であって、
上下基板間を導通させるために基板の周辺部に塗布する導電性ペーストの流出による電極間短絡を防止するために、導電性ペーストの正規塗布位置からの流出を防止し得る断面形状のダミー隔壁を基板上の所定位置に設けたことを特徴とする情報表示装置。
【請求項２】
前記ダミー隔壁の断面形状は、基板上における導電性ペーストの塗布位置および電極配置に応じて、Ｌ型、Ｕ型、長方形型、円型、多角形型、半円型、Ｉ型、階段型の何れかとすることを特徴とする請求項１記載の情報表示装置。
【発明の詳細な説明】
【技術分野】
【０００１】
本発明は、少なくとも一方が透明な対向する２枚の基板の間に１種類以上の表示媒体を封入し、基板内に発生させた電界により表示媒体を移動させて画像などの情報を表示する情報表示用パネルを具備する情報表示装置に関するものである。
【背景技術】
【０００２】
従来より、液晶（ＬＣＤ）に代わる情報表示装置として、電気泳動方式、エレクトロクロミック方式、サーマル方式、２色粒子回転方式等の技術を用いた情報表示装置が提案されている。【０００３】
これら従来技術は、ＬＣＤと比較すると、通常の印刷物に近い広い視野角が得られる、消費電力が小さい、メモリ機能を有している等のメリットがあることから、次世代の安価な情報表示装置に使用可能な技術として考えられており、携帯端末用情報表示、電子ペーパー等への展開が期待されている。特に、最近では、分散粒子と着色溶液とから成る分散液をマイクロカプセル化し、これを対向する基板間に配置して成る電気泳動方式が提案され、期待が寄せられている。【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、画像などの情報を繰り返し書き換え表示する際の安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。【０００５】
一方、溶液中での挙動を利用する電気泳動方式に対し、溶液を使わず、導電性粒子と電荷輸送層とを基板の一部に組み入れる方式も提案され始めている（例えば、趙  国来、外３名、“新しいトナーディスプレイデバイス（Ｉ）”、１９９９年７月２１日、日本画像学会年次大会（通算８３回）“Japan Hardcopy’99”、p.249-252参照）。しかし、この方式は、電荷輸送層、さらには電荷発生層を配置するために構造が複雑化するとともに、導電性粒子に電荷を一定に注入することは難しいため、表示駆動の安定性に欠けるという問題もある。【０００６】
上述した種々の問題を解決するための一方法として、少なくとも一方が透明な対向する２枚の基板の間に１種類以上の表示媒体を封入し、基板内に発生させた電界により表示媒体を移動させて画像などの情報を表示する情報表示用パネルを具備する情報表示装置が知られている。このような情報表示装置では、従来、基板の周辺部に導電性ペーストを塗布して上下基板間を導通させ、導通部分に設けた電極に給電用コネクタを接続することにより、装置外部から駆動電圧を印加するように構成されている。【０００７】
上記従来の情報表示装置の情報表示用パネルは、基板の周辺部に導電性ペーストを塗布して上下基板間を導通させる構成となっているが、導電性ペーストの流出対策を何も講じていないため、以下の不具合が生じるおそれがある。すなわち、導電性ペーストの塗布時に上下基板のアライメントずれや導電性ペーストの粘度の低下等が生じた場合に、導電性ペーストが正規塗布位置から流出してしまうことがあり、その場合、本来は導通させることを意図していない電極間を短絡させてしまうことになる。
【発明の開示】
【０００８】
本発明は、基板上にダミー隔壁を設けることにより導電性ペーストの正規塗布位置からの流出に起因する電極間短絡を防止するようにした情報表示装置を提供することを目的とする。
【０００９】
上記目的を達成するため、本発明の情報表示装置は、少なくとも一方が透明な対向する２枚の基板の間に１種類以上の表示媒体を封入し、基板内に発生させた電界により表示媒体を移動させて画像などの情報を表示する情報表示用パネルを具備する情報表示装置であって、上下基板間を導通させるために基板の周辺部に塗布する導電性ペーストの流出による電極間短絡を防止するために、導電性ペーストの正規塗布位置からの流出を防止し得る断面形状のダミー隔壁を基板上の所定位置に設けたことを特徴とする。
【００１０】
本発明の情報表示装置の好適例としては、前記ダミー隔壁の断面形状は、基板上における導電性ペーストの塗布位置および電極配置に応じて、Ｌ型、Ｕ型、長方形型、円型、多角形型、半円型、Ｉ型、階段型の何れかとすること、がある。
【００１１】
上記本発明の情報表示装置によれば、少なくとも一方が透明な対向する２枚の基板の間に１種類以上の表示媒体を封入し、基板内に発生させた電界により表示媒体を移動させて画像などの情報を表示する情報表示用パネルを具備する情報表示装置において、上下基板間を導通させるために基板の周辺部に塗布する導電性ペーストの流出による電極間短絡を防止するために、導電性ペーストの正規塗布位置からの流出を防止し得る断面形状のダミー隔壁を基板上の所定位置に設けてから、導電性ペーストの塗布時に上下基板のアライメントずれや導電性ペーストの粘度の低下等が生じたときに、導電性ペーストが正規塗布位置から流出しようとしても、ダミー隔壁によって流出が阻止されることになる。したがって、導電性ペーストの正規塗布位置からの流出に起因して本来は導通させることを意図していない電極間が短絡される不具合を確実に防止することができる。
【図面の簡単な説明】
【００１２】
【図１】本発明の情報表示装置に用いる情報表示用パネルの一例を示す図である。
【図２】本発明の情報表示装置に用いる情報表示用パネルの他の例を示す図である。
【図３】は本発明の情報表示装置に用いる情報表示用パネルのさらに他の例を示す図である。
【図４】（ａ）〜（ｈ）はそれぞれ、本発明の情報表示装置の情報表示用パネルに使用し得るダミー隔壁の断面形状を示す図である。
【図５】本発明の情報表示装置の情報表示用パネルにおける隔壁の形状の一例を示す図である。
【図６】本発明の情報表示装置の情報表示用パネルの実施例におけるダミー隔壁を設けた構成を示す図である。
【発明を実施するための最良の形態】
【００１３】
以下、本発明を実施するための最良の形態を図面に基づき詳細に説明する。【００１４】
まず、本発明の情報表示装置の情報表示用パネルの構成について説明する。本発明の情報表示装置では、対向する基板間に表示媒体を封入した情報表示用パネルの基板内に何らかの手段で電界が付与される。電界方向に従って帯電した表示媒体が電界による力やクーロン力などによって引き寄せられ、表示媒体が電界方向の切換によって移動方向を変えることにより、画像などの情報表示がなされる。従って、表示媒体が、均一に移動し、かつ、繰り返し表示書き換えを行う時あるいは表示情報を表示し続ける時の安定性を維持できるように、情報表示用パネルを設計する必要がある。ここで、表示媒体を構成する粒子にかかる力は、粒子同士のクーロン力により引き付けあう力の他に、電極との電気影像力、分子間力、液架橋力、重力などが考えられる。【００１５】
本発明の情報表示装置に用いる情報表示用パネルの例を、図１（ａ），（ｂ）〜図３（ａ），（ｂ）に基づき説明する。【００１６】
図１（ａ）、（ｂ）に示す例では、それぞれが少なくとも１種以上の粒子から構成される光学的反射率および帯電特性の異なる少なくとも２種以上の表示媒体３（ここでは白色粒子群３Ｗと黒色粒子群３Ｂを示す）を、基板１、２の外部に配置した電極（図示せず）から加えられる電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図１（ｂ）に示す例では、図１（ａ）に示す例に加えて、基板１、２との間に例えば格子状に隔壁４を設けセルを形成している。また、図１（ｂ）において、手前にある隔壁は省略している。【００１７】
図２（ａ）、（ｂ）に示す例では、それぞれが少なくとも１種以上の粒子から構成される光学的反射率および帯電特性の異なる少なくとも２種以上の表示媒体３（ここでは白色粒子群３Ｗと黒色粒子群３Ｂを示す）を、基板１に設けた電極５と基板２に設けた電極６との間に電圧を印加することにより発生する電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図２（ｂ）に示す例では、図２（ａ）に示す例に加えて、基板１、２との間に例えば格子状に隔壁４を設けセルを形成している。また、図２（ｂ）において、手前にある隔壁は省略している。【００１８】
図３（ａ）、（ｂ）に示す例では、少なくとも１種以上の粒子から構成される光学的反射率および帯電性を有する１種の表示媒体３（ここでは白色粒子群３Ｗを示す）を、基板１に設けた電極５と電極６との間に電圧を印加することにより発生する電界に応じて、基板１、２と平行方向に移動させ、白色粒子群３Ｗを観察者に視認させて白色の表示を行うか、あるいは、電極６または基板１の色を観察者に視認させて電極６または基板１の色の表示を行っている。なお、図３（ｂ）に示す例では、図３（ａ）に示す例に加えて、基板１、２との間に例えば格子状の隔壁４を設けセルを形成している。また、図３（ｂ）において、手前にある隔壁は省略している。【００１９】
以上の説明は、白色粒子群３Ｗを白色粉流体に、黒色粒子群３Ｂを黒色粉流体に、それぞれ置き換えた場合も同様に適用することができる。【００２０】
以下、本発明の特徴となる情報表示装置の情報表示用パネルを詳細に説明する。本発明の情報表示用パネルは、基板の周辺部に導電性ペーストを塗布して上下基板間を導通させる構成となっており、導電性ペーストの流出対策として、導電性ペーストの正規塗布位置からの流出を防止し得る断面形状のダミー隔壁を基板上の所定位置に設けている。【００２１】
上記ダミー隔壁の「導電性ペーストの正規塗布位置からの流出を防止し得る断面形状」としては、図４（ａ）〜（ｈ）に示すような様々な形状がある。図４（ａ）に示す「Ｌ型」は、導電性ペーストを長方形で包囲した場合の２辺において電極が近接して配置されている場合に適しており、特に、基板の四隅に塗布される導電性ペーストの場合に好適である。図４（ｂ）に示す「Ｕ型」は、導電性ペーストを長方形で包囲した場合の３辺において電極が近接して配置されている場合に適しており、特に、基板の四隅以外の周辺部に塗布される導電性ペーストの場合に好適である。図４（ｃ）〜（ｅ）に示す「長方形型」、「円型」、「多角形型」は、導電性ペーストを長方形で包囲した場合の４辺において電極が近接して配置されている場合に適しており、特に、多数の電極が混み合った基板の四隅以外の周辺部に塗布される導電性ペーストの場合に好適である。図４（ｆ）〜（ｈ）に示す「半円型」、「Ｉ型」、「階段型」は、導電性ペーストを長方形で包囲した場合の１辺において電極が近接して配置されている場合に適しており、特に、電極が混み合っていない基板の四隅に塗布される導電性ペーストの場合に好適である。なお、ダミー隔壁の「導電性ペーストの正規塗布位置からの流出を防止し得る断面形状」は、図４（ａ）〜（ｈ）に示す形状のみに限定されるものではなく、「導電性ペーストの正規塗布位置からの流出を防止する機能」が得られる形状であれば、上記以外の形状のものを用いてもよい。【００２２】
本発明の情報表示装置によれば、上下基板間を導通させるために基板の周辺部に塗布する導電性ペーストの流出による電極間短絡を防止するために、導電性ペーストの正規塗布位置からの流出を防止し得る断面形状のダミー隔壁である、図４（ａ）〜（ｈ）に示す形状のダミー隔壁の中から、導電性ペーストの塗布位置およびその周囲の電極配置に応じて選択したものを、基板上の所定位置に設けるから、導電性ペーストの塗布時に上下基板のアライメントずれや導電性ペーストの粘度の低下等が生じたときに、導電性ペーストが正規塗布位置から流出しようとしても、ダミー隔壁によって流出が阻止されることになり、導電性ペーストの正規塗布位置からの流出に起因して本来は導通させることを意図していない電極間が短絡される不具合を確実に防止することができる。【００２３】
以下、本発明の対象となる情報表示装置の情報表示用パネルを構成する各部材について説明する。【００２４】
基板については、少なくとも一方の基板は情報表示用パネル外側から表示媒体の色が確認できる透明な基板であり、可視光の透過率が高くかつ耐熱性の良い材料が好適である。もう一方の基板となる背面基板は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。【００２５】
必要に応じて設ける電極５、６の電極形成材料としては、アルミニウム、銀、ニッケル、銅、金等の金属類やＩＴＯ、酸化インジウム、導電性酸化錫、導電性酸化亜鉛等の透明導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。なお、電極厚みは、導電性が確保でき光透過性に支障がなければ良く、３〜１０００ｎｍ、好ましくは５〜４００ｎｍが好適である。背面基板１側に設ける電極５の材質や厚みなどは上述した電極６と同様であるが、透明である必要はない。なお、この場合の外部電圧入力は、直流あるいは交流を重畳しても良い。【００２６】
必要に応じて設ける隔壁４については、その形状は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。また、隔壁を形成するにあたり、対向する両基板の各々にリブを形成した後に接合する両リブ法、片側の基板上にのみリブを形成する片リブ法が考えられる。本発明では、いずれの方法も好適に用いられる。【００２７】
これらのリブからなる隔壁により形成されるセルは、図５に示すごとく、基板平面方向からみて四角状、三角状、ライン状、円形状、六角状が例示され、配置としては格子状やハニカム状や網目状が例示される。表示側から見える隔壁断面部分に相当する部分（セルの枠部の面積）はできるだけ小さくした方が良く、情報の表示状態の鮮明さが増す。ここで、隔壁の形成方法を例示すると、金型転写法、スクリーン印刷法、サンドブラスト法、フォトリソ法、アディティブ法が挙げられる。このうち、レジストフィルムを用いるフォトリソ法や金型転写法が好適に用いられる。【００２８】
次に、本発明の対象となる情報表示用パネルで表示媒体として用いる粉流体について説明する。
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。【００２９】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。【００３０】
本発明の対象となる情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。
本発明に用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で用いられる。【００３１】
次に、本発明の対象となる情報表示用パネルで用いる表示媒体を構成する粒子について説明する。
粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。【００３２】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。【００３３】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。【００３４】
着色剤としては、以下に例示するような、有機または無機の各種、各色の顔料、染料が使用可能である。【００３５】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。【００３６】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。【００３７】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。【００３８】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。【００３９】
また、本発明で用いる粒子は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために粒子の移動に支障をきたすようになる。【００４０】
さらに、本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、d(0.5)は粒子の50％がこれより大きく、50％がこれより小さいという粒子径をμｍで表した数値、d(0.1)はこれ以下の粒子の比率が10％である粒子径をμｍで表した数値、d(0.9)はこれ以下の粒子が90％である粒子径をμｍで表した数値である。）
Spanを５以下の範囲に納めることにより、各粒子のサイズが揃い、均一な粒子移動が可能となる。【００４１】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。【００４２】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie 理論を用いた体積基準分布を基本としたソフト）にて、粒子径および粒子径分布の測定を行なうことができる。【００４３】
さらに、本発明において表示媒体として粒子群または粉流体を用いる場合は基板間の粒子群あるいは粉流体を取り巻く空隙部分の気体の管理が重要であり、表示安定性向上に寄与する。具体的には、空隙部分の気体の湿度について、２５℃における相対湿度を６０％RH以下、好ましくは５０％RH以下、更に好ましくは３５％RH以下とすることが重要である。
この空隙部分とは、図１〜図３において、対向する基板１、基板２に挟まれる部分から、電極５、６（基板の内側に設けた場合）、粒子群（あるいは粉流体）３の占有部分、隔壁４の占有部分（隔壁を設けた場合）、情報表示用パネルシール部分を除いた、いわゆる粒子群（あるいは粉流体）が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、粒子群あるいは粉流体の充填、情報表示用パネルの組み立てなどを所定湿度環境下にて行い、さらに、外からの湿度侵入を防ぐシール材、シール方法を施すことが肝要である。【００４４】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における粒子群又は粉流体の体積占有率は５〜７０％が好ましく、さらに好ましくは５〜６０％である。７０％を超える場合には粒子又は粉流体の移動の支障をきたし、５％未満の場合にはコントラストが不明確となり易い。
本発明に用いる表示媒体として、気体中で用いる粒子群や粉流体について説明してきたが、本発明は電気泳動粒子群が内包されたマイクロカプセル型などの表示媒体を充填する場合にも適用できる。
【実施例】
【００４５】
以下、本発明の実施例を示して、本発明をさらに具体的に説明するが、本発明は下記実施例に限定されるものではない。【００４６】
＜実施例１＞
図４（ａ）に示す「Ｌ型」のダミー隔壁を用いて、図６に示すような実施例１の情報表示装置の情報表示用パネルを作製した。すなわち、実施例１の情報表示用パネルには、図６に示すように、対向する２枚の基板の四隅の１個所に、図示のようにダミー隔壁１１が設けられている。この場合、基板の四隅の１個所において上基板側ＩＴＯ電極１２と下基板側ＩＴＯ電極１３−１とがオーバーラップしており、そのオーバーラップ部に導電性ペースト１４が塗布されており、下基板側ＩＴＯ電極１３−１に近接して下基板側ＩＴＯ電極１３−２が配置されているため、下基板側ＩＴＯ電極１３−１および下基板側ＩＴＯ電極１３−２間の短絡を防止するためには、図示のように「Ｌ型」のダミー隔壁１１が適している。上記導電性ペースト１４としては、銀ペースト、カーボンペースト、ＡＣＳ（異方性導電シール）等を用いるものとする。
なお、実施例１の情報表示用パネルには、図６には記載していないが、その他の部分にも導電性ペースト１４が塗布されており、それぞれの導電性ペースト１４についても、上記と同様にして、図４（ａ）〜（ｈ）に示す形状のダミー隔壁の中から、導電性ペーストの塗布位置およびその周囲の電極配置に応じて選択したものが、基板上の所定位置に設けられている。【００４７】
実施例１の情報表示用パネルによれば、導電性ペーストの正規塗布位置からの流出を防止し得る断面形状のダミー隔壁である、図４（ａ）〜（ｈ）に示す形状のダミー隔壁の中から、導電性ペーストの塗布位置およびその周囲の電極配置に応じて選択した最適な断面形状のダミー隔壁１１をそれぞれ、導電性ペースト１４の塗布位置に応じた所定位置に設けたから、導電性ペーストの塗布時に上下基板のアライメントずれや導電性ペーストの粘度の低下等が生じたときに、導電性ペーストが正規塗布位置から流出しようとしても、ダミー隔壁によって流出が阻止されることになり、導電性ペーストの正規塗布位置からの流出に起因して本来は導通させることを意図していない電極間が短絡される不具合を確実に防止し得るようになる。
【産業上の利用可能性】
【００４８】
本発明の情報表示用パネル、情報表示装置は、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子値札、電子棚札、電子楽譜、ＲＦ−ＩＤ機器の表示部などに好適に用いられる。
【図１】
2006018982.tif 000002
【図２】
2006018982.tif 000003
【図３】
2006018982.tif 000004
【図４】
2006018982.tif 000005
【図５】
2006018982.tif 000006
【図６】
2006018982.tif 000007
【国際調査報告】
2006018982.tif 000008
2006018982.tif 000009
2006018982.tif 000010